(57)【要約】【課題】手扱ぎ作業に際し、扱室カバーの緊急開放操作を可能にする。【解決手段】扱室カバー１５の前側を閉状態でロックする前側ロック装置１７と、前側ロック装置１７のロック操作およびロック解除操作を行なう前側ロックレバー２７と、扱室カバー１５の後側を閉状態でロックする後側ロック装置１８と、後側ロック装置１８のロック操作およびロック解除操作を行なう後側ロックレバー２８と、前側ロックレバー２７のロック解除操作に応じて後側ロック装置１８をロック解除させる連動機構４３とを備え、該連動機構４３は、前側ロックレバー２７のロック解除操作力を後側ロック装置１８に伝達する棒部材４４と、後側ロックレバー２８の単独操作を許容する逃げ機構４５とを備える。【選択図】図７
2014217285.tif 000002
【特許請求の範囲】
【請求項１】
始端部に供給される茎稈を挟持レールとの間で挟持しながら機体後方に向けて搬送する脱穀フィードチェンと、
脱穀フィードチェンで搬送される茎稈から穀粒を脱穀する扱胴と、
扱胴を内装する扱室と、
扱室の上部を開閉自在に覆い、開状態では挟持レールを上昇させて茎稈の挟持を解除する扱室カバーと、
扱室カバーの前側を閉状態でロックする前側ロック装置と、
前側ロック装置のロック操作およびロック解除操作を行なう前側ロックレバーと、
扱室カバーの後側を閉状態でロックする後側ロック装置と、
後側ロック装置のロック操作およびロック解除操作を行なう後側ロックレバーと、
前側ロックレバーのロック解除操作に応じて後側ロック装置をロック解除させる連動手段とを備え、
該連動手段は、
前側ロックレバーのロック解除操作力を後側ロック装置に伝達する棒部材と、
後側ロックレバーの単独操作を許容する逃げ手段とを備えることを特徴とするコンバイン。
【請求項２】
前記棒部材は、後側ロックレバーの回動支点と同一軸心で連結され、
前側ロックレバーは、回動支点が後側ロックレバーの回動支点よりも機体中心側に配置されることにより、レバー長さが後側ロックレバーよりも長く形成されるとともに、逃げ手段を介して棒部材に連結されることを特徴とする請求項１に記載のコンバイン。
【請求項３】
前記棒部材は、前側ロックレバーの回動支点および後側ロックレバーの回動支点と同一軸心で連結され、
逃げ手段は、棒部材の中間部に設けられることを特徴とする請求項１に記載のコンバイン。
【発明の詳細な説明】
【技術分野】
【０００１】
本発明は、扱室の上部を開閉自在に覆う扱室カバーや、扱室カバーを閉状態でロックするロック装置を備えたコンバインに関する。
【背景技術】
【０００２】
始端部に供給される茎稈を挟持レールとの間で挟持しながら機体後方に向けて搬送する脱穀フィードチェンと、脱穀フィードチェンで搬送される茎稈から穀粒を脱穀する扱胴と、扱胴を内装する扱室と、扱室の上部を開閉自在に覆い、開状態では挟持レールを上昇させて茎稈の挟持を解除する扱室カバーと、扱室カバーを閉状態でロックするロック装置とを備えるコンバインが知られている。
【０００３】
例えば、特許文献１に記載のコンバインは、扱室カバーの前側を閉状態でロックする前側ロック装置と、前側ロック装置のロック操作およびロック解除操作を行なう前側ロック操作部と、扱室カバーの後側を閉状態でロックする後側ロック装置と、後側ロック装置のロック操作およびロック解除操作を行なう後側ロック操作部とを備えている。
【先行技術文献】
【特許文献】
【０００４】
【特許文献１】特許第２６９５６２６号公報
【発明の概要】
【発明が解決しようとする課題】
【０００５】
特許文献１に記載の構成によれば、扱室カバーが前後一対のロック装置で閉状態にロックされるので、扱室カバーの閉状態を安定的に維持することが可能である。しかしながら、扱室カバーを開く際には、前後のロック操作部をロック解除操作する必要があるので、扱室カバーを緊急に開きたい場合、対応が困難であった。
【０００６】
例えば、脱穀フィードチェンの始端部に手作業で茎稈を供給して脱穀を行なわせる手扱ぎ作業に際し、脱穀フィードチェンに衣類などが巻き込まれた場合は、扱室カバーを急いで開く必要があるが、特許文献１に記載のものでは、手扱ぎ作業位置から近い前側のロック操作部だけでなく、後側のロック操作部もロック解除操作する必要があるので、扱室カバーを緊急に開くことが困難であった。
【課題を解決するための手段】
【０００７】
本発明は、上記の如き実情に鑑みこれらの課題を解決することを目的として創作されたものであって、始端部に供給される茎稈を挟持レールとの間で挟持しながら機体後方に向けて搬送する脱穀フィードチェンと、脱穀フィードチェンで搬送される茎稈から穀粒を脱穀する扱胴と、扱胴を内装する扱室と、扱室の上部を開閉自在に覆い、開状態では挟持レールを上昇させて茎稈の挟持を解除する扱室カバーと、扱室カバーの前側を閉状態でロックする前側ロック装置と、前側ロック装置のロック操作およびロック解除操作を行なう前側ロックレバーと、扱室カバーの後側を閉状態でロックする後側ロック装置と、後側ロック装置のロック操作およびロック解除操作を行なう後側ロックレバーと、前側ロックレバーのロック解除操作に応じて後側ロック装置をロック解除させる連動手段とを備え、該連動手段は、前側ロックレバーのロック解除操作力を後側ロック装置に伝達する棒部材と、後側ロックレバーの単独操作を許容する逃げ手段とを備えることを特徴とする。
また、前記棒部材は、後側ロックレバーの回動支点と同一軸心で連結され、前側ロックレバーは、回動支点が後側ロックレバーの回動支点よりも機体中心側に配置されることにより、レバー長さが後側ロックレバーよりも長く形成されるとともに、逃げ手段を介して棒部材に連結されることを特徴とする。
また、前記棒部材は、前側ロックレバーの回動支点および後側ロックレバーの回動支点と同一軸心で連結され、逃げ手段は、棒部材の中間部に設けられることを特徴とする。
【発明の効果】
【０００８】
請求項１の発明によれば、前側ロックレバーのロック解除操作に応じて後側ロック装置をロック解除させる連動手段を備えるので、手扱ぎ作業位置から近い前側ロックレバーをロック解除操作するだけで、前側ロック装置および後側ロック装置をロック解除させ、扱室カバーを緊急に開くことができる。また、前側ロックレバーのロック解除操作力は、棒部材を介して後側ロック装置に伝達されるので、前側ロックレバーのロック解除操作に応じて後側ロック装置を確実にロック解除させることができる。また、連動手段は、後側ロックレバーの単独操作を許容する逃げ手段を備えるので、前後のロックレバーを同時にロック解除操作する際に、後側ロックレバーの操作が先行しても、前側ロックレバーに影響を与えず、スムーズなロック解除操作が可能になる。
また、請求項２の発明によれば、後側ロックレバーに比べて前側ロックレバーを長くできるので、前側ロックレバーで前側ロック装置および後側ロック装置をロック解除させる際の操作荷重を軽減することが可能になる。
また、請求項３の発明によれば、棒部材と、逃げ手段と、前側ロックレバーおよび後側ロックレバーの回動支点が同一軸心となり、コンパクトな配置が可能になる。
【図面の簡単な説明】
【０００９】
【図１】コンバインの左側面図である。
【図２】コンバインの平面図である。
【図３】脱穀部の正面図である。
【図４】脱穀部の後面図である。
【図５】脱穀部の平面図である。
【図６】脱穀部の斜視図である。
【図７】連動手段の斜視図である。
【図８】連動手段の要部断面図である。
【図９】第２実施形態に係る連動手段の斜視図である。
【発明を実施するための形態】
【００１０】
以下、本発明の実施の形態について、図面に基づいて説明する。図１および図２において、Ｃは自脱式のコンバインであって、該コンバインＣは、走行部である左右一対のクローラ式走行装置１に支持された走行機体２と、該走行機体２の前部に昇降自在に連結されて茎稈の刈り取りを行う前処理部３とを備え、走行機体２は、オペレータが乗込んで操向操作を行う操縦部４と、該操縦部４の後方左側に配置され、前処理部３で刈り取った茎稈から穀粒を脱穀する脱穀装置６と、該脱穀装置６の後方に配置され、脱穀済みの排稈を後処理する後処理部７とを備えている。
【００１１】
コンバインＣの前進時、前処理部３で刈り取られた茎稈は、前処理部３の茎稈搬送装置８によって脱穀装置６まで搬送され、脱穀フィードチェン９の始端部（前端部）に渡される。脱穀フィードチェン９は、始端部に供給された茎稈を挟持レール１０との間で挟持しつつ、脱穀装置６に沿って機体後方へ搬送する。
【００１２】
脱穀装置６は、自身の上部側に配置され、脱穀フィードチェン９によって搬送される茎稈から穀粒を脱穀する扱室１１と、扱室１１の下方に配置され、脱穀された穀粒を選別する選別室（図示せず）とから構成されている。
【００１３】
扱室１１には、前後を向く支軸回りに回動自在に支持された円筒状の扱胴１２と、該扱胴１２の下方に沿って配置された受網１３とが内装されており、脱穀フィードチェン９によって搬送される茎稈の穂先側が扱室１１の内部に供給されると、扱胴１２の外周面に突設される扱歯１４で茎稈から穀粒が脱穀され、脱穀された穀粒が受網１３を介して選別室に供給される。
【００１４】
脱穀装置６には、扱室１１の上方を開閉自在に覆う扱室カバー１５が設けられている。本実施形態の扱室カバー１５は、脱穀装置６の枠体６ａに対し、前後を向く支軸１６を介して上下回動自在に支持されており、前後一対のロック装置１７、１８によって閉状態でロックされる。なお、扱室カバー１５の詳しい構成については、後述する。
【００１５】
また、脱穀装置６の外側面には、手扱ぎ作業を行うための手扱ぎスイッチ１９が設けられている。手扱ぎ作業は、脱穀フィードチェン９の始端部に手作業で茎稈を供給して脱穀を行なわせるものであり、手扱ぎを行なう作業者は、脱穀装置６の左前側方が作業位置となる。
【００１６】
手扱ぎスイッチ１９を操作すると、手扱ぎモードの入り／切りが行なわれる。この手扱ぎモード時には、前処理部３の駆動を停止させた状態で、脱穀フィードチェン９、脱穀装置６、排藁搬送体２０などを駆動させる制御が実行される。
【００１７】
さらに、手扱ぎスイッチ１９の近傍には、緊急停止スイッチ２１が設けられ、この緊急停止スイッチ２１の操作に応じてエンジンの駆動を緊急停止させることができる。この緊急停止スイッチ２１によれば、手扱ぎ作業時に、衣類などが脱穀フィードチェン９に巻込まれた場合に、脱穀フィードチェン９や脱穀装置６を緊急停止させることが可能になる。
【００１８】
つぎに、扱室カバー１５の構成について、図３〜図５を参照して説明する。
【００１９】
本実施形態の扱室カバー１５は、扱室１１の上方を覆う天板部１５ａと、扱室１１の外側方を覆うように天板部１５ａの右端部（機体外側端部）から斜め下方に延出される側板部１５ｂと、天板部１５ａの前端部から下方に延出される前壁部１５ｃと、天板部１５ａの後端部から下方に延出される後壁部１５ｄとを備えている。
【００２０】
扱室カバー１５は、天板部１５ａの左端部（機体中心側端部）に配設された前後を向く支軸１６を介して、脱穀装置６の枠体６ａに上下回動自在に支持されている。また、扱室カバー１５は、前後に設けた一対のガススプリング２２、２３により、常時、上方（開方向）に付勢されるとともに、前後の璧部１５ｃ、１５ｄに設けられるロック装置１７、１８で閉状態にロックされる。
【００２１】
また、扱胴１２は、扱室カバー１５側に架設状態で支持されており、扱室カバー１５の開閉に応じて昇降される。これにより、扱室カバー１５の開状態では、扱室１１内が広く開放され、清掃、点検などのメンテナンスが容易になる。なお、扱室カバー１５の開閉に応じて扱胴１２を昇降させず、扱室カバー１５のみが上下回動するように、扱胴１２を脱穀装置６の枠体６ａ側に支持しても良い。
【００２２】
扱室カバー１５の側板部１５ｂには、扱室カバー１５の上下回動操作を補助する把手２４が設けられ、また、側板部１８ｂの下端側には、脱穀フィードチェン９の上側に沿って配置される挟持レール１０が上下動自在に支持されている。挟持レール１０は、扱室カバー１５の閉状態では、脱穀フィードチェン９との間で茎稈を挟持するが、扱室カバー１５の開状態では、扱室カバー１５と共に上昇して茎稈の挟持を解除する。したがって、手扱ぎ作業時に、衣類などが脱穀フィードチェン９に巻込まれた場合は、緊急停止スイッチ２１で脱穀フィードチェン９や脱穀装置６を緊急停止させるとともに、扱室カバー１５を緊急に開き、脱穀フィードチェン９と挟持レール１０との間を開放することが要求される。
【００２３】
ロック装置１７、１８は、璧部１５ｃ、１５ｄの外面における左下部（機体中心側下部）に上下回動自在に配置されたロック部材２５、２６と、璧部１５ｃ、１５ｄの外面における右上部（機体外方側上部）、または天板部１５ａの前端面における右端部（機体外方側端部）に上下回動自在に配置されたロックレバー２７、２８と、対応するロックレバー２７、２８とロック部材２５、２６とを機械的に連結するリンク機構２９、３０とを備えている。
【００２４】
各ロック部材２５、２６は、フック状の係合部２５ａ、２６ａを有し、該ロック部材２５、２６の回動支点を挟んだ反対側には、延設部２５ｂ、２６ｂが一体的に突出形成されている。この係合部２５ａ、２６ａが、脱穀装置６の枠体６ａ側に固設された前後方向の係合ピン３１、３２に係合されることにより、扱室カバー１５が閉状態でロックされる。
【００２５】
このロック状態が保持されるように、ロック部材２５、２６を回動方向の一方側に付勢する弾性部材３３、３４が上記延設部２５ｂ、２６ｂに連結されるとともに、この弾性力に抗してロック部材２５、２６を他方側に回動させると、係合ビン３１、３２と係合部２５ａ、２６ａとの係合が解除され、ロック解除状態になる。
【００２６】
各ロックレバー２７、２８は、扱室カバー１５に設けられる支持ブラケット３５、３６に、前後を向く回動支軸（回動支点）３７、３８を介して上下回動自在に支持されている。機体外側方に延出するロックレバー２７、２８の先端部には、グリップ２７ａ、２８ａが形成され、このグリップ２７ａ、２８ａが、側板部１５ｂに形成された長孔状のレバー孔１５ｅ、１５ｆから外側方に挿通状態で突出している。これにより、ロックレバー２７、２８は、扱室カバー１５の側板部１５ｂの外面側から操作することが可能であり、このロックレバー２７、２８の上下回動操作力が、リンク機構２９、３０を介して、ロック部材２５、２６に伝達され、上述したロック部材２５、２６のロック動作およびロック解除動作が行われる。
【００２７】
前側ロック装置１７を構成するリンク機構２９は、扱室カバー１５の前面側に左右回動自在に支持された中間アーム３９と、中間アーム３９と前側ロックレバー２７とを連結する操作側ロッド４０と、中間アーム３９とロック部材２５とを連結するロック側ロッド４１とを備えている。ちなみに、一端側がロック部材２５の延設部２５ｂに連結された前述の弾性部材３３の他端側は、このロック側ロッド４１に連結されている。
【００２８】
そして、扱室カバー１５が閉状態で前側ロック装置１７によってロックされている状態の場合、前側ロックレバー２７を上方に回動操作すると、操作側ロッド４０が機体外側方向に引かれて中問アーム３９も機体外側方向に回動し、これに伴ってロック側ロッド４１が上方に作動し、ロック部材２５が弾性部材３３の付勢力に抗してロック解除側に回動する。これにより、前側ロック装置１７がロック解除状態になる。
【００２９】
一方、扱室カバー１５が閉位置にあり、かつ前側ロック装置１７がロック解除状態の場合、前側ロックレバー２７を下方に回動操作すると、操作側ロッド４０と中間アーム３９とロック側ロッド４１が上記の場合と逆方向に作動し、ロック部材２５がロック側に回動する。これにより、ロック部材２５の係合部２５ａが係合ピン３１に係合し、前側ロック装置１７がロック状態になる。
【００３０】
後側ロック装置１８を構成する後側リンク機構３０は、後側ロックレバー２８の基端部と、ロック部材２６とを連結するロッド４２から構成されている。ちなみに、一端側がロック部材２６の延設部２６ｂに連結された前述の弾性部材３４の他端側は、このロッド４２に連結されている。
【００３１】
そして、扱室カバー１５が閉状態で後側ロック装置１８によってロックされている状態の場合、後側ロックレバー２８を上方に回動操作すると、ロッド４２が機体外側方向に引かれるのに伴って、ロック部材２６が弾性部材３４の付勢力に抗してロック解除側に回動する。これにより、後側ロック装置１８がロック解除状態になる。
【００３２】
一方、扱室カバー１５が閉位置にあり、かつ後側ロック装置１８がロック解除状態の場合、後側ロックレバー２８を下方に回動操作すると、ロッド４２が上記の場合と逆方向に作動し、ロック部材２６がロック側に回動する。これにより、ロック部材２６の係合部２６ａが係合ピン３２に係合し、後側ロック装置１８がロック状態になる。
【００３３】
以上のように構成される前後のロック装置１７、１８によれば、扱室カバー１５を前後で確実にロックさせることが可能になる。ただし、前述したように、手扱ぎ作業時に、衣類などが脱穀フィードチェン９と挟持レール１０の間に巻込まれた場合、緊急停止スイッチ２１を操作してエンジンを停止させた後に、作業者一人で扱室カバー１５を開操作して、脱穀フィードチェン９と挟持レール１０との間を開放する必要がある。
【００３４】
そこで、本発明の実施形態に係るコンバインＣは、閉状態における扱室カバー１５のロックを手扱ぎ作業位置から迅速に解除して、扱室カバー１５を開操作可能とするために、前側ロックレバー２７のロック解除操作によって、前側ロック装置１７をロック解除させたとき、これに連動して後側ロック装置１８もロック解除させる連動機構（連動手段）４３を備えている。これにより、手扱ぎ作業位置から近い前側ロックレバー２７をロック解除操作するだけで、前側ロック装置１７および後側ロック装置１８をロック解除させ、扱室カバー１５を緊急に開くことが可能になる。
【００３５】
本発明の実施形態に係る連動機構４３は、前側ロックレバー２７のロック解除操作力を後側ロック装置１８に伝達する棒部材４４と、後側ロックレバー２８の単独操作を許容する逃げ機構（逃げ手段）４５とを備えている。このようにすると、前側ロックレバー２７のロック解除操作力が、棒部材４４を介して後側ロック装置１８に伝達されるので、前側ロックレバー２７のロック解除操作に応じて後側ロック装置１８を確実にロック解除させることができる。また、連動機構４３は、後側ロックレバー２８の単独操作を許容する逃げ機構４５を備えることにより、前後のロックレバー２７、２８を同時にロック解除操作する際に、後側ロックレバー２８の操作が先行しても、前側ロックレバー２７に影響を与えず、スムーズなロック解除操作が可能になる。
【００３６】
つぎに、本実施形態に係る連動機構４３の具体的な構成について、図６〜図８を参照して説明する。
【００３７】
これらの図に示すように、本実施形態の棒部材４４は、前後を向いて配置されており、その後端側は、後側ロックレバー２８の回動支軸３８と同一軸心で一体的に連結される一方、前端側は、前側ロックレバー２７の支持ブラケット３５で回動自在に支持されている。
【００３８】
前側ロックレバー２７は、回動支軸３７が後側ロックレバー２８の回動支軸３８よりも左側（機体中心側）に配置されることにより、レバー長さが後側ロックレバー２８よりも長く形成されるとともに、逃げ機構４５を介して棒部材４４に連結されている。
【００３９】
本実施形態の逃げ機構４５は、支持ブラケット３５から前方に突出した棒部材４４の前端から左斜め下方（機体中心側斜め下方）に延出するアーム４６と、アーム４６の先端部から前方に延出するピン４７と、前側ロックレバー２７の基端部から左斜め下方（機体中心側斜め下方）に延出するプレート４８とから構成されており、前後のロック装置１７、１８がロック状態のとき、プレート４８の下側にピン４７が近接する位置設定となっている。
【００４０】
そして、前後のロック装置１７、１８がロック状態のとき、前側ロックレバー２７を上方に回動操作（ロック解除操作）すると、前側ロック装置１７がロック解除されるとともに、それと同時に前側ロックレバー２７のプレート４８がピン４７を右方（機体外側方）に押すことにより棒部材４４が回動し、前側ロックレバー２７のロック解除操作力が後側ロック装置１８に伝達される。後側ロック装置１８では、前側ロックレバー２７のロック解除操作力が伝達されると、棒部材４４と一体的に連結される後側ロックレバー２８が上方に回動し、それに応じて後側ロック装置１８がロック解除される。
【００４１】
また、前後のロック装置１７、１８がロック状態のとき、後側ロックレバー２８を上方に回動操作（ロック解除操作）すると、後側ロック装置１８がロック解除されるとともに、それと同時に棒部材４４が回動するが、アーム４６およびピン４７は、前側ロックレバー２７のプレート４８から逃げる方向に回動するので、前側ロックレバー２７に影響を与えることなく、後側ロックレバー２８を単独でロック解除操作することが可能になる。
【００４２】
このような連動機構４３によれば、手扱ぎ作業位置から近い前側ロックレバー２７をロック解除操作するだけで、前側ロック装置１７および後側ロック装置１８をロック解除させ、扱室カバー１５を緊急に開くことが可能になるが、後側ロックレバー２８に比べて前側ロックレバー２７を長くできるので、前側ロックレバー２７で前側ロック装置１７および後側ロック装置１８をロック解除させる際の操作荷重を軽減できるという利点がある。
【００４３】
ちなみに、棒部材４４の軸部分は、中空軸４４ａと、該中空軸４４ａに嵌入する状態で一体的に溶着される中実軸４４ｂとからなり、中空軸４４ａ側を前側ロックレバー２７の支持ブラケット３５で回動自在に支持する一方、中実軸４４ｂを中空軸である後側ロックレバー２８の回動支軸３８に回動自在に嵌合させ、抜止め部材４４ｃで抜止めしている。そして、中空軸４４ａと回動支軸３８に形成される爪部４４ｄ、３８ａ同士を常時係合させることにより、棒部材４４を回動支軸３８に対して一体的に連結させている。なお、中空軸４４ａに形成される孔４４ｅは、中空軸４４ａと中実軸４４ｂを溶接する際に使用される溶接用の孔である。
【００４４】
叙述の如く構成された本実施形態によれば、始端部に供給される茎稈を挟持レール１０との間で挟持しながら機体後方に向けて搬送する脱穀フィードチェン９と、脱穀フィードチェン９で搬送される茎稈から穀粒を脱穀する扱胴１２と、扱胴１２を内装する扱室１１と、扱室１１の上部を開閉自在に覆い、開状態では挟持レール１０を上昇させて茎稈の挟持を解除する扱室カバー１５と、扱室カバー１５の前側を閉状態でロックする前側ロック装置１７と、前側ロック装置１７のロック操作およびロック解除操作を行なう前側ロックレバー２７と、扱室カバー１５の後側を閉状態でロックする後側ロック装置１８と、後側ロック装置１８のロック操作およびロック解除操作を行なう後側ロックレバー２８と、前側ロックレバー２７のロック解除操作に応じて後側ロック装置１８をロック解除させる連動機構４３とを備え、該連動機構４３は、前側ロックレバー２７のロック解除操作力を後側ロック装置１８に伝達する棒部材４４と、後側ロックレバー２８の単独操作を許容する逃げ機構４５とを備えるので、手扱ぎ作業位置から近い前側ロックレバー２７をロック解除操作するだけで、前側ロック装置１７および後側ロック装置１８をロック解除させ、扱室カバー１５を緊急に開くことができ、しかも、前側ロックレバー２７のロック解除操作力を、棒部材４４を介して後側ロック装置１８に伝達するので、後側ロック装置１８を確実にロック解除させることができる。また、連動機構４３は、後側ロックレバー２８の単独操作を許容する逃げ機構４５を備えるので、前後のロックレバー２７、２８を同時にロック解除操作する際に、後側ロックレバー２８の操作が先行しても、前側ロックレバー２７に影響を与えず、スムーズなロック解除操作が可能になる。
【００４５】
また、棒部材４４は、後側ロックレバー２８の回動支軸３８と同一軸心で連結され、前側ロックレバー２７は、回動支軸３７が後側ロックレバー２８の回動支点３８よりも機体中心側に配置されることにより、レバー長さが後側ロックレバー２８よりも長く形成されるとともに、逃げ機構４５を介して棒部材４４に連結されるので、前側ロックレバー２７で前側ロック装置１７および後側ロック装置１８をロック解除させる際の操作荷重を軽減することが可能になる。
【００４６】
つぎに、本発明の第２実施形態に係る連動機構１４３について、図９を参照して説明する。ただし、前記実施形態と共通の構成については、前記実施形態と同じ符号を付与することにより、前記実施形態の説明を援用する。
【００４７】
図９に示すように、第２実施形態の連動機構１４３は、棒部材１４４が、前側ロックレバー２７の回動支軸（本実施形態では棒部材１４４を兼用）および後側ロックレバー２８の回動支軸３８と同一軸心で連結され、逃げ機構１４５が、棒部材１４４の中間部に設けられる点が前記実施形態と相違している。このような構成によれば、棒部材１４４と、逃げ機構１４５と、前側ロックレバー２７および後側ロックレバー２８の回動支点３８が同一軸心となり、コンパクトな配置が可能になる。
【００４８】
第２実施形態の棒部材１４４は、第一実施形態の棒部材４４と同様に、中空軸１４４ａと、該中空軸１４４ａに嵌入する状態で一体的に溶着される中実軸（図示せず）とからなり、中実軸を中空軸である後側ロックレバー２８の回動支軸３８に回動自在に嵌合させているが、中空軸１４４ａと回動支軸３８に形成される爪部１４４ｄ、３８ａは、常時係合することなく、逃げ空間Ｓを介して係合するように形成され、後側ロックレバー２８の単独操作を許容する逃げ機構１４５を構成している。
【００４９】
つまり、前後のロック装置１７、１８がロック状態のとき、前側ロックレバー２７を上方に回動操作（ロック解除操作）すると、前側ロック装置１７がロック解除されるとともに、それと同時に棒部材１４４が所定方向に回動する。このとき、棒部材１４４側の爪部１４４ｄは、棒部材１４４が回動方向において、回動支軸３８側の爪部３８ａと近接しているので、回動支軸３８を一体的に回動させ、前側ロックレバー２７のロック解除操作力を後側ロック装置１８に伝達させる。これにより、後側ロック装置１８では、後側ロックレバー２８が上方に回動し、それに応じて後側ロック装置１８がロック解除される。
【００５０】
また、前後のロック装置１７、１８がロック状態のとき、後側ロックレバー２８を上方に回動操作（ロック解除操作）すると、後側ロック装置１８がロック解除されるが、このとき、回動支軸３８側の爪部３８ａは、棒部材１４４側の爪部１４４ｄから逃げる方向（逃げ空間Ｓ）に回動するので、前側ロックレバー２７に影響を与えることなく、後側ロックレバー２８を単独でロック解除操作することが可能になる。
【符号の説明】
【００５１】
Ｃ    コンバイン
２    走行機体
３    前処理部
６    脱穀装置
９    脱穀フィードチェン
１０    挟持レール
１１    扱室
１２    扱胴
１５    扱室カバー
１７    前側ロック装置
１８    後側ロック装置
２７    前側ロックレバー
２８    後側ロックレバー
４３    連動機構
４４    棒部材
４５    逃げ機構
１４３    連動機構
１４４    棒部材
１４５    逃げ機構
【図１】
2014217285.tif 000003
【図２】
2014217285.tif 000004
【図３】
2014217285.tif 000005
【図４】
2014217285.tif 000006
【図５】
2014217285.tif 000007
【図６】
2014217285.tif 000008
【図７】
2014217285.tif 000009
【図８】
2014217285.tif 000010
【図９】
2014217285.tif 000011